(57)【要約】【課題】カップに対して安定した姿勢で固定されるスパウトを提供する。【解決手段】液体を収容し開口をフィルムＦで封止されたカップＣに装着されるスパウトＳにおいて、フィルムＦを破り、少なくともその一部がカップ内側へ挿入される穿孔部と、穿孔部に対して間隙を介して設けられた支持部と、フィルムの上方に配置され、前記カップ内の液体が導出される注出部とを備え、穿孔部及び支持部との間でカップＣの縁部を挟持する。【選択図】図１
2013119411.tif 000002
【特許請求の範囲】
【請求項１】
液体を収容し開口をフィルムで封止されたカップに装着されるスパウトにおいて、
前記フィルムを破り、少なくともその一部が前記カップ内側へ挿入される穿孔部と、
前記穿孔部に対して間隙を介して設けられた支持部と、
前記フィルムの上方に配置され、前記カップ内の液体が導出される注出部とを備え、
前記穿孔部と前記支持部との間で前記カップの縁部を挟持することを特徴とするスパウト。
【請求項２】
前記支持部の先端は、前記穿孔部の刃先よりも突出し該スパウトが前記カップに装着される際に前記カップの縁部に当接する請求項１に記載のスパウト。
【請求項３】
前記支持部は、前記カップの開口部に設けられた鍔部の下面に掛止される掛止爪を備えた請求項１又は２記載のスパウト。
【請求項４】
前記掛止爪との間で前記カップの鍔部を挟持する当接片をさらに備えた請求項３に記載のスパウト。
【請求項５】
前記穿孔部は、前記カップの内側に当接するとともに前記掛止爪との間で前記カップの縁部を挟持するシール突部を備えた請求項３に記載のスパウト。
【請求項６】
前記注出部の先端に備えられたシール部をさらに備え、
前記シール部の先端は、該スパウトがカップに対して固定される装着位置で、前記フィルムが前記カップの縁部に固着された位置よりも下方に配置され、該スパウトと前記フィルムとの隙間を閉塞する請求項１〜５のいずれか１項に記載のスパウト。
【請求項７】
前記穿孔部は、前記穿孔部と前記カップの内側面との間に流入した液体を前記注出部側へ導出するスリットを備えた請求項１〜６のいずれか１項に記載のスパウト。
【請求項８】
前記穿孔部は、前記支持部との間隙に前記カップの縁部が挿入された際に、前記カップの縁部に沿って弾性変形するバネ部を備え、前記バネ部には前記カップの内側に当接する突部が形成されている請求項１〜７のいずれか１項に記載のスパウト。
【請求項９】
前記支持部は、
該スパウトが回転する際に前記カップの外側面に当接する第１湾曲部と、
該スパウトが回転する際に前記カップの縁部に摺接される第２湾曲部とを備えた請求項１又は２に記載のスパウト。
【請求項１０】
前記支持部は、
該スパウトがカップに対して固定される装着位置で前記カップの縁部が差し込まれる挟持部を備え、該挟持部の幅は、前記カップの縁部の幅よりも小さい請求項９に記載のスパウト。
【請求項１１】
前記穿孔部は、前記カップ内側に掛止される鉤状部を先端に備える請求項９又は１０に記載のスパウト。
【請求項１２】
前記穿孔部は、前記カップの周方向に沿って穿孔する第１の刃と、前記カップの径方向内側に向かって穿孔する第２の刃とを備える請求項１〜１１のいずれか１項に記載のスパウト。
【発明の詳細な説明】
【技術分野】
【０００１】
この発明は、液体を収容したカップ内の開口を封止したフィルムを穿孔するとともにカップに固定されて飲み口として使用されるスパウトに関する。
【背景技術】
【０００２】
従来より、飲料を収容したカップの開口に、フィルムを固着して、飲料を気密状態に封止した製品が製造及び販売されている。この種のカップは、収容した飲料が冷却された状態で販売されており、カップ内の飲料を飲む際には、フィルムにストローを突き刺し、ストローを介して飲料を吸引する。
【０００３】
一方、上記構成のカップに温かい飲料を封入した場合、ストローを介した吸引量を制御しにくい等の理由から、ストローの使用は適さない。このため、温かい飲料を上記構成のカップに封入した場合にも好適に使用可能なスパウト構造が要請されていた。
【０００４】
例えば特許文献１には、フィルム（密封シート）を押し切るスパウト構造を備えたオーバーキャップ付き容器が記載されている。このオーバーキャップは、フィルムの外側を覆うようにカップに装着されるものであって、容器本体の口部の半分又は全面を覆う天面壁を備える。また、この天面壁には、内容物の注出経路を有する注出筒体が、ヒンジを介して揺動可能に保持されている。この注出筒体は、ヒンジを起点とする引き起こしによって、天面壁に形成された貫通開口からその下方に挿入され、天面壁の下方に配置されたフィルムを押し切る。引き起こされた注出筒体は、注出筒体の外側面に形成された係合突起と、天面壁の貫通開口の縁部とを連係させて、その引き起こされた姿勢を保つようにする。
【先行技術文献】
【特許文献】
【０００５】
【特許文献１】特開２００９−１７９３４８号公報
【発明の概要】
【発明が解決しようとする課題】
【０００６】
しかし、上述したスパウト構造では、注出筒体は、オーバーキャップに対し、係合突起と縁部の基端とを連係させるのみで、引き起こされた姿勢を保つようにしているため、例えば注出筒体に対しカップ内側へ押圧するような力が加わった場合には、係合突起と凹部との連係状態が解除される可能性がある。係合突起と凹部との連係状態が解除されると、ヒンジを起点として、注出筒体が、カップ内側へ向かって傾動するため、カップから飲料を飲みにくくなる虞がある。従って、カップに対して安定した姿勢で固定されるスパウトが要請されていた。
【０００７】
本発明は、上記問題点に鑑みてなされたものであり、その目的は、カップに対して安定した姿勢で固定されるスパウトを提供することにある。
【課題を解決するための手段】
【０００８】
上記問題点を解決するために、請求項１に記載の発明は、液体を収容し開口をフィルムで封止されたカップに装着されるスパウトにおいて、前記フィルムを破り、少なくともその一部が前記カップ内側へ挿入される穿孔部と、前記穿孔部に対して間隙を介して設けられた支持部と、前記フィルムの上方に配置され、前記カップ内の液体が導出される注出部とを備え、前記穿孔部と前記支持部との間で前記カップの縁部を挟持することを要旨とする。
【０００９】
請求項１に記載の発明によれば、スパウトは、穿孔部と支持部とによりカップを挟持するため、カップに装着された位置で安定した姿勢を保つことができる。このため、カップ内の液体を飲みやすくすることができる。
【００１０】
請求項２に記載の発明は、請求項１に記載のスパウトにおいて、前記支持部の先端は、前記穿孔部の刃先よりも突出し該スパウトが前記カップに装着される際に前記カップの縁部に当接することを要旨とする。
【００１１】
請求項２に記載の発明によれば、支持部の先端は、穿孔部の刃先よりも突出しているので、スパウトをカップに装着する際、穿孔部の刃先よりも先に、支持部の先端をカップの縁部に当接させることができる。そして、支持部をカップの縁部に当接させながら、穿孔部の刃先をフィルムに刺すことができる。このため、スパウトの姿勢を安定させながら穿孔することができる。
【００１２】
請求項３に記載の発明は、請求項１又は２に記載のスパウトにおいて、前記支持部は、前記カップの開口部に設けられた鍔部の下面に掛止される掛止爪を備えたことを要旨とする。
【００１３】
請求項３に記載の発明によれば、カップの鍔部と掛止爪とを掛止させることにより、スパウトのカップ高さ方向に沿った移動が規制される。このため、カップからスパウトが抜け落ちにくくなる。
【００１４】
請求項４に記載の発明は、請求項３に記載のスパウトにおいて、前記掛止爪との間で前記カップの鍔部を挟持する当接片をさらに備えたことを要旨とする。
請求項４に記載の発明によれば、カップの鍔部が、当接片と掛止爪との間で挟持されるので、スパウトが安定した姿勢を保つことができる。また、スパウトがカップに圧接されるので、カップからの液漏れを抑制することができる。
【００１５】
請求項５に記載の発明は、請求項３に記載のスパウトにおいて、前記穿孔部は、前記カップの内側に当接するとともに前記掛止爪との間で前記カップの縁部を挟持するシール突部を備えたことを要旨とする。
【００１６】
請求項５に記載の発明によれば、カップの内側に当接するシール突部と掛止爪とが、カップ側壁の両側からカップを挟持する。このため、スパウトが安定した姿勢を保つことができる。また、スパウトがカップに圧接されるので、カップからの液漏れを抑制することができる。
【００１７】
請求項６に記載の発明は、請求項１〜５のいずれか１項に記載のスパウトにおいて、前記注出部の先端に備えられたシール部をさらに備え、前記シール部の先端は、該スパウトがカップに対して固定される装着位置で、前記フィルムが前記カップの縁部に固着された位置よりも下方に配置され、該スパウトと前記フィルムとの隙間を閉塞することを要旨とする。
【００１８】
請求項６に記載の発明によれば、シール部の先端は、フィルムがカップの縁部に固着された位置よりも下方に配置されるため、シール部は、カップ装着位置で、フィルムに圧接される。このため、スパウトとフィルムとの隙間を閉塞することができる。従って、カップを傾けても、スパウトとフィルムとの隙間からの液体の漏出を防ぐことができる。
【００１９】
請求項７に記載の発明は、請求項１〜６のいずれか１項に記載のスパウトにおいて、前記穿孔部は、前記穿孔部と前記カップの内側面との間に流入した液体を前記注出部側へ導出するスリットを備えたことを要旨とする。
【００２０】
請求項７に記載の発明によれば、スリットを介して、穿孔部とカップ内側面との間の液体を注出部側へ導出できるので、カップの内容量のうちスパウトを介して導出可能な液量を増やすことができる。
【００２１】
請求項８に記載の発明は、請求項１〜７のいずれか１項に記載のスパウトにおいて、前記穿孔部は、前記支持部との間隙に前記カップの縁部が挿入された際に、前記カップの縁部に沿って弾性変形するバネ部を備え、前記バネ部には前記カップの内側に当接する突部が形成されていることを要旨とする。
【００２２】
請求項８に記載の発明によれば、穿孔部は、バネ部にはカップの内側に当接する突部が備えられているため、この突部がカップに圧接されることによって、スパウトのずれを抑制することができる。また、突部はバネ部に形成されているため、スパウトをカップに装着する際にバネ部を弾性変形させることで、突部をカップ内側にスムーズに滑り込ませることができる。
【００２３】
請求項９に記載の発明は、請求項１又は２に記載のスパウトにおいて、前記支持部は、該スパウトが回転する際に前記カップの外側面に当接する第１の湾曲部と、該スパウトが回転する際に前記カップの縁部に摺接される第２湾曲部とを備えたことを要旨とする。
【００２４】
請求項９に記載の発明によれば、スパウトは、第１の湾曲部をカップの外側面に当接させるので、スパウトをカップによって支持しながら回転させることができる。また、スパウトは、第２湾曲部をカップの縁部に摺接させながら回転するため、第２湾曲部によって、スパウトを、その回転動作が終了する位置へ導くことができる。このため、スパウトをカップに装着する際の操作性を向上することができる。
【００２５】
請求項１０に記載の発明は、請求項９に記載のスパウトにおいて、前記支持部は、該スパウトがカップに対して固定される装着位置で前記カップの縁部が差し込まれる挟持部を備え、該挟持部の幅は、前記カップの縁部の幅よりも小さいことを要旨とする。
【００２６】
請求項１０に記載の発明によれば、第２湾曲部は、カップの縁部の幅よりも小さい幅を有する挟持部を備えたため、挟持部にカップの縁部が挿入された際に、弾性変形した支持部の反発力により、支持部と穿孔部との間でカップの縁部を挟持することができる。
【００２７】
請求項１１に記載の発明は、請求項９又は１０に記載のスパウトにおいて、前記穿孔部は、前記カップ内側に掛止される鉤状部を先端に備えることを要旨とする。
請求項１１に記載の発明によれば、穿孔部は先端に鉤状部を備えているため、穿孔部の刃先をカップ内側に掛止しながら、スパウトを回転させることができる。このため、スパウトの姿勢を安定させながら、カップに対して固定することができる。
【００２８】
請求項１２に記載の発明は、請求項１〜１１のいずれか１項に記載のスパウトにおいて、前記穿孔部は、前記カップの周方向に沿って穿孔する第１の刃と、前記カップの径方向内側に向かって穿孔する第２の刃とを備えることを要旨とする。
【００２９】
請求項１２に記載の発明によれば、第１の刃によりフィルムに円弧状の孔を穿孔した後、第２の刃により、その孔をカップ径方向内側に広げることができる。このため、カップにスパウトを差し込むことで、開口面積が大きい孔を形成できる。
【図面の簡単な説明】
【００３０】
【図１】本発明を具体化した第１実施形態のスパウトであって、カップに固定された状態を示す斜視図。
【図２】同スパウトの正面図。
【図３】同スパウトに備えられた掛止爪の縦断面図。
【図４】同スパウトの平面図。
【図５】同スパウトの側面図。
【図６】同スパウトの下面図。
【図７】同スパウトを図２中のＡ−Ａ線で切断した断面図。
【図８】同スパウトをカップに装着する際の装着開始状態を示す断面図。
【図９】同スパウトをカップに装着する際の装着中の状態を示す断面図。
【図１０】同スパウトをカップに装着する際の装着完了状態を示す断面図。
【図１１】装着完了状態のスパウトの掛止爪とカップとを示す断面図。
【図１２】スパウトが装着されたカップを傾けた状態を示す断面図。
【図１３】本発明を具体化した第２実施形態のスパウトであって、カップに固定された状態を示す斜視図。
【図１４】同スパウトの正面図。
【図１５】同スパウトを図１４中のＢ−Ｂ線で切断した断面図。
【図１６】同スパウトの平面図。
【図１７】同スパウトの下面図。
【図１８】同スパウトをカップに装着する際の装着開始状態を示す断面図。
【図１９】同スパウトをカップに装着する際の装着完了状態を示す断面図。
【図２０】本発明を具体化した第３実施形態のスパウトであって、カップに固定された状態を示す斜視図。
【図２１】同スパウトの斜視図。
【図２２】同スパウトの側面図。
【図２３】同スパウトの正面図。
【図２４】同スパウトをカップに装着する際の装着開始状態を示す側面図。
【図２５】同スパウトをカップに装着する際の穿孔開始状態を示す側面図。
【図２６】同スパウトをカップに装着する際の装着中の状態を示す側面図。
【図２７】同スパウトをカップに装着する際の弾性変形した状態を示す側面図。
【図２８】同スパウトをカップに装着する際の装着完了状態を示す側面図。
【図２９】スパウトが装着されたカップを傾けた状態を示す断面図。
【発明を実施するための形態】
【００３１】
（第１実施形態）
以下、本発明のスパウトを具体化した第１実施形態を図１〜図１２にしたがって説明する。
【００３２】
図１に示す本実施形態のスパウトＳは、飲料を収容したカップＣに対して装着され、カップＣを傾けて内容物である飲料を啜るために使用されるものである。カップＣは、飲料を収容したカップ本体Ｂと、カップ本体Ｂの上部開口を、ポリエチレンテレフタレート（ＰＥＴ）等の切り裂き可能なフィルムＦで封止した構成である。カップ本体Ｂは、その開口部に、外側に向かって突き出されたカップ鍔部Ｃ１を有している。カップ鍔部Ｃ１の上面は、数ｍｍの幅ＣＷを有し、フィルムＦは、その周縁部を、カップ鍔部Ｃ１の上面に対し熱溶着又は接着剤により固着されることで、カップＣに張設されている。このスパウトＳは、使用前に、フィルムＦの一部を覆うように固定され、使用後はカップＣから取り外すことができる。尚、スパウトＳがカップＣに装着された際に、カップＣの径方向内側を向く面を正面、径方向外側の面を背面とし、フィルムＦの上面側となる面を平面、カップ底面側を向く面を下面とする。
【００３３】
スパウトＳは、ポリプロピレン（ＰＰ）、ポリエチレンテレフタレート（ＰＥＴ）、ＰＥ（ポリエチレン）等の樹脂からなり、射出成形等により成形されている。このスパウトＳは、背面側に支持部１１を備えている。支持部１１は、カップ鍔部Ｃ１の周方向の形状に沿って湾曲するとともに、スパウトＳの上部で屈曲した形状をなし、支持部１１のカップ周方向に沿った長さは、カップＣの半周分の長さよりも小さくなっている。この支持部１１は、スパウトＳがカップＣに固定された装着位置で、カップＣの外側に配置される支持片１１ａを有している。支持片１１ａは、支持部１１の先端から下方（図中反Ｚ方向）に向かって延びている。
【００３４】
図２に示すように、この支持部１１の両端であって、スパウトＳの高さ方向（図中Ｚ方向）における略中央には、掛止爪１２がそれぞれ形成されている。図３に示すように、掛止爪１２は、支持部１１から正面側に突出するように形成され、支持部１１の先端に向かって傾斜する傾斜部１２ａと、傾斜部１２ａに連続して形成された段差部１２ｂとを備えている。
【００３５】
また、図１に示す支持部１１の上方に配置される屈曲部は、飲料を飲む際に口を付けるための端縁部１３を構成する。端縁部１３は、スパウトＳの装着位置で、フィルムＦの表面よりも上方に配置される。この端縁部１３は、丸みを帯びた角Ｒ状に形成されている。
【００３６】
さらに、支持部１１からは、支持片１１ａが延びる方向に対して略垂直な方向に、注出口形成部１４が延出されている。この注出口形成部１４は、略板状をなし、スパウトＳがカップＣに固定された際に、フィルムＦの一部を覆うように配置される。
【００３７】
図４に示すように、注出口形成部１４は、平面視において紡錘状をなしており、その長手方向の中央であって、端縁部１３側の端部には注出口１５が貫通形成されている。注出口１５は、略矩形状をなし、その端縁部１３側の内側面は、端縁部１３の形状に沿った円弧状に形成されている。
【００３８】
また、注出口形成部１４のうち、注出口１５が形成された端部に対し、注出口形成部１４の短手方向において反対側となる端部には、カップＣ内に空気を流入するための空気孔１６が貫通形成されている。
【００３９】
さらに、注出口形成部１４の先端には、薄板状のシール部１７が突出形成されている。シール部１７は、平面視において、注出口形成部１４の先端に沿って湾曲する細長状をなしている。また図５に示すように、シール部１７は、注出口形成部１４に固定された基端から先端にかけて斜め下方に傾斜している。このシール部１７の短手方向の長さ及び傾斜角度は、スパウトＳの装着位置で、先端がフィルムＦの張設位置よりも下方となるような長さ及び角度となっている。
【００４０】
図２に示すように、この注出口形成部１４の下面には、フィルムＦを破って孔を開けるための穿孔部２０が形成されている。穿孔部２０は、支持部１１側に配置された第１の刃２１と、第１の刃２１よりも正面側に配置された第２の刃２２とを備えている。
【００４１】
第１の刃２１は、注出口形成部１４に対し垂直な方向であって、スパウトＳの高さ方向（図中Ｚ方向）と平行な方向に延び、正面視において略五角形状をなしている。また、第１の刃２１の刃先は、三角形状をなし、下方に向かって尖っている。この刃先は、その厚さ方向にも薄肉化されることで、フィルムＦとの接触面積を小さくしてフィルムＦの切開が開始されやすいようになっている。この第１の刃２１の高さは、支持部１１の高さよりも短く、支持部１１は第１の刃２１よりも突出している。従って、スパウトＳの上端及び下端を指で把持する場合には、指は支持部１１の先端に触れるため、第１の刃２１には指が触れにくい。
【００４２】
図６に示すように、第１の刃２１は、下面からみた際に、支持片１１ａの形状に沿って湾曲した円弧状をなし、支持片１１ａに対して間隙を介した位置に形成されている。また、第１の刃２１の背面のうち、円弧形状に沿った幅方向の中央には、突部２１ａが形成されている。また、該背面の両端には、中央の突部２１ａとほぼ同じ高さの突部２１ｂが１つずつ形成されている。
【００４３】
また、図７に示すように、第１の刃２１には、その高さ方向（図中Ｚ方向）の略中央に段差部２１ｆが形成され、その段差部２１ｆには、スリット２５が形成されている。このスリット２５は、その長手方向が、第１の刃２１の幅方向と平行となっている（図２参照）。また第１の刃２１のうち、スリット２５よりも下方の刃先部２１ｄと支持片１１ａとの相対距離Ｇ１は、カップ鍔部Ｃ１の幅ＣＷと同一か、若干大きくなっている。
【００４４】
さらに、第１の刃２１の基端部側であって。支持部１１の端部の下面には、当接片１１ｂが斜め下方に向かって突出形成されている。
図７に示すように、この当接片１１ｂとスリット２５との間には、バネ部２１ｅが備えられている。このバネ部２１ｅは、第１の刃２１の幅方向に延びる長尺状をなし（図２参照）、上述した各突部２１ａ〜２１ｃは、このバネ部２１ｅの背面に形成されている。
【００４５】
図７に示すバネ部２１ｅと支持部１１との相対距離Ｇ２は、カップ鍔部Ｃ１の幅ＣＷと同一か若干大きくなっているが、突部２１ａ〜２１ｃと支持部１１との相対距離は、カップ鍔部Ｃ１の幅ＣＷよりも小さい。従って、バネ部２１ｅと支持部１１との間にカップ鍔部Ｃ１が挿入されると、突部２１ａ〜２１ｃとカップ内側面とが当接する際に、バネ部２１ｅには曲げ荷重が加わり、バネ部２１ｅは内側に湾曲するように弾性変形する。このため、バネ部２１ｅの背面に突部２１ａ〜２１ｃが形成されていても、突部２１ａ〜２１ｃがカップ内側へ滑り込みやすくなる。
【００４６】
図６に示すように、注出口形成部１４の裏面であって、第１の刃２１よりも正面側には、第２の刃２２が突出形成されている。第２の刃２２は、下面からみて、略コの字状に形成され、第１の刃２１の両端から、第１の刃２１に対して略垂直に延びる１対のリブ２３と、各リブ２３の間に設けられる連結部２４とから構成される。
【００４７】
図７に示すように、リブ２３は、側面からみて台形状をなし、その下辺は、連結部２４から第１の刃２１に向かって下方に傾斜している。リブ２３は、第１の刃２１によってフィルムＦに形成された孔を、カップＣの径方向内側へ押し広げる。
【００４８】
このように、スパウトＳは、フィルムＦ全域を覆うような容器一体型の蓋部ではなく、カップＣとは独立したアタッチメントとして機能するので、小型化することができる。このため、スパウトＳに使用される樹脂量を減らすことができるので、コストを低減することができる。
【００４９】
次に、本実施形態のスパウトＳの作用について図８〜図１２に従って説明する。スパウトＳをカップＣに装着する際には、図８に示すように、支持片１１ａをカップ鍔部Ｃ１に当接させつつ、支持片１１ａと第１の刃２１との間隙にカップ鍔部Ｃ１を差し込む。該間隙にカップ鍔部Ｃ１が若干差し込まれると、第１の刃２１の刃先がフィルムＦの表面に当接する。さらにスパウトＳをカップＣの深さ方向に押し込むと、第１の刃２１の刃先がフィルムＦに突き刺さり、フィルムＦの穿孔が開始される。このように、第１の刃２１よりも突出した支持部１１の先端をカップ鍔部Ｃ１に当接させて安定させつつ、第１の刃２１をフィルムＦに刺すことができるので、操作性を向上できる。
【００５０】
さらにスパウトＳをカップＣの深さ方向に押し込んでいくと、第１の刃２１がカップ内側により深く差し込まれる。また、上述したように、刃先部２１ｄと支持片１１ａとの相対距離Ｇ１は、カップ鍔部Ｃ１の幅ＣＷと同一か、若干大きくなっているため、刃先部２１ｄは、ほぼ弾性変形しない状態でフィルムＦに刺さる。このため、刃先部２１ｄがフィルムＦに対してほぼ垂直に突き刺さるため、穿孔が円滑に進む。また、第１の刃２１は、円弧状且つ先細り形状であることから、フィルムＦに形成される孔もまた円弧状をなし、第１の刃２１が差し込まれるにつれ周方向に拡大されていく。
【００５１】
そして図９に示すように、第２の刃２２であるリブ２３がフィルムＦに形成された孔に差し込まれると、フィルムＦに形成された円弧状の孔が、カップＣの径方向内側に押し広げられていく。リブ２３もまた先細り形状であることから、リブ２３がカップ内側により深く差し込まれるにつれ、フィルムＦに形成された孔が拡大されていく。
【００５２】
さらに、第１の刃２１のバネ部２１ｅと支持片１１ａとの間にカップ鍔部Ｃ１が挿入されると、各突部２１ａ〜２１ｃがカップ内側面に当接する。上述したように、突部２１ａ〜２１ｃと支持部１１との相対距離は、カップ鍔部Ｃ１の幅ＣＷよりも小さいため、バネ部２１ｅが内側に湾曲するように弾性変形して、各突部２１ａ〜２１ｃを、カップ内側面に形成された膨出部Ｃ２に対して摺動させる。尚、この膨出部Ｃ２は、カップＣの周方向にそって内側に膨らんだ部分であって、カップＣの成形上、形成されるものである。また、カップ鍔部Ｃ１の幅ＣＷは、この膨出部Ｃ２を含めた幅である。
【００５３】
その状態から、さらにスパウトＳをカップＣの深さ方向へ押し込むと、図１０に示すように、当接片１１ｂがカップ鍔部Ｃ１の上面に当接して、スパウトＳが装着位置に配置される。この際、バネ部２１ｅは元の形状に戻り、突部２１ａ〜２１ｃは、カップ内側の膨出部Ｃ２の下方に配置され、膨出部Ｃ２に引っ掛かり、スパウトＳの上方への移動を規制する。また、突部２１ａ〜２１ｃと、カップ鍔部Ｃ１の背面側に当接した支持片１１ａとの間でカップの縁部が挟持される。
【００５４】
またこのとき、バネ部２１ｅの背面全体ではなく、突部２１ａ〜２１ｃをカップ内側面に当接させることで、カップＣへの押圧力が突部２１ａ〜２１ｃに集中して加わる。このため、カップ内側面に膨出部Ｃ２が形成されていても、第１の刃２１とカップ内側面とを確実に当接させ、第１の刃２１と支持部１１とによりカップＣを挟持する力を大きくして、スパウトＳのカップ周方向及びカップ径方向のずれを抑制することができる。
【００５５】
さらに、図１１に示すように、掛止爪１２がカップ鍔部Ｃ１の下面に掛止されることにより、カップ鍔部Ｃ１に当接した当接片１１ｂは上側に弾性変形し、カップ鍔部Ｃ１の上面を押圧する。このように当接片１１ｂと掛止爪１２とでカップ鍔部Ｃ１を上面及び下面から押圧することにより、スパウトＳをより強固にカップＣに固定できるとともに、スパウトＳの上部をフィルムＦに圧接し、飲料の漏れを抑制してシール性を高めることができる。
【００５６】
このように、第１の刃２１と支持部１１とによるカップＣの挟持、当接片１１ｂ及び掛止爪１２とによるカップ鍔部Ｃ１に対する押圧力の付与により、スパウトＳはカップＣに対して固定される。このため、スパウトＳを上方へ引き抜く力や、スパウトＳをカップ径方向内側及び外側、及びカップ周方向へ押圧するような力等が加わったとしても、スパウトＳは、カップＣから容易に外れたり、ずれたりせず、装着状態の姿勢を保持することができる。
【００５７】
また上述したように、シール部１７の先端は、スパウトＳの装着位置で、フィルムＦの張設位置よりも下方に位置する。このため、シール部１７の先端は、フィルムＦに圧接され、スパウトＳとフィルムＦとのシール性を向上できる。
【００５８】
このようにスパウトＳがカップＣに対して装着されたとき、フィルムＦには、カップ鍔部Ｃ１側に円弧状の辺を有する略四角形状の孔が形成される。この孔は、注出口形成部１４、支持部１１及びシール部１７によって囲まれた空間に配置されるので、フィルムＦの孔からこぼれた飲料が、シール部１７とフィルムＦとの隙間等から漏れ出すことが抑制される。また、注出口形成部１４、支持部１１及びシール部１７によって囲まれた空間は、空気孔１６を介して大気圧に開放される。
【００５９】
図１２に示すように、スパウトＳが装着されたカップＣを傾けると、空気孔１６を介して導入された空気が、フィルムＦの孔を介してカップ内に流れ込み、カップＣ内の飲料ＬがフィルムＦの孔を介してフィルムＦと注出口形成部１４との間に導出される。さらに、その飲料は、注出口１５から導出され、端縁部１３に流れるので、端縁部１３に口をつけて飲むことができる。
【００６０】
このとき、フィルムＦに形成された孔が大きいため、フィルムＦに空気孔を穿孔しなくても、カップ内の液体が、上記孔から円滑に導出される。また飲料を飲む際、スパウトＳは、第１の刃２１及び支持部１１等によって固定されているため、外れたりずれたりしないので、飲みやすくなるとともに、スパウトＳとフィルムＦとの間から飲料が漏れにくくなる。
【００６１】
さらに、第１の刃２１とカップ内側面との間に溜まった飲料も、カップＣを大きく傾けることにより、スリット２５を介して、注出口１５から導出することができる。
使用後は、スパウトＳをカップＣから取り外すことができる。この際、支持片１１ａをカップ鍔部Ｃ１から離間させるように外側に反らせ、掛止爪１２とカップ鍔部Ｃ１の掛止を解除する。そして、スパウト全体をカップＣから上方に引き抜く。
【００６２】
第１実施形態によれば、以下のような効果を得ることができる。
（１）第１実施形態では、穿孔部２０によってフィルムＦに孔を開けるとともに、穿孔部２０と支持部１１とによりスパウトＳをカップＣに固定するため、カップＣを傾けることにより、フィルムＦに開けられた孔を介して導出された飲料を、端縁部１３から啜ることができる。また、スパウトＳは、第１の刃２１の突部２１ａ〜２１ｃと支持部１１とによりカップ内側面を挟持するため、カップＣに装着された位置で安定した姿勢を保つことができる。このため、スパウトＳが容易に傾いたりずれたりすることがないので、カップ内の飲料を飲みやすくすることができる。
【００６３】
（２）第１実施形態では、支持部１１の先端を、穿孔部２０の刃先よりもカップの挿入方向へ突出させた。このため、スパウトＳをカップＣに装着する際、穿孔部２０の刃先がカップＣに当接する前に支持部１１の先端をカップの縁部に当接させることができる。そして、支持部１１の先端をカップＣの縁部に当接させながら、穿孔部２０の刃先をフィルムＦに刺すことができる。このため、スパウトＳの姿勢を安定させながら穿孔することができるので、操作性を向上できる。
【００６４】
（３）第１実施形態では、スパウトＳは、カップ鍔部Ｃ１の下面に掛止される掛止爪１２を備えるため、スパウトＳのカップＣの高さ方向に沿った移動を規制し、装着位置のスパウトＳを、より抜け落ちにくくすることができる。
【００６５】
（４）第１実施形態では、スパウトＳは、カップ鍔部Ｃ１を、当接片１１ｂと掛止爪１２との間で挟持するようにしたので、スパウトＳが安定した姿勢を保つことができる。また、スパウトＳがカップＣに対して圧接されるので、カップ鍔部Ｃ１側からの飲料の漏れを抑制してシール性を向上することができる。
【００６６】
（５）第１実施形態では、スパウトＳがカップＣに装着された際に、シール部１７は、その先端が、フィルムＦの張設位置よりも下方に位置する。このため、シール部１７の先端はフィルムＦに圧接されるので、フィルムＦに撓みや凹凸形状があっても、スパウトＳとフィルムＦとの隙間を閉塞し、そのシール性を向上することができる。このため、カップＣを傾けても、スパウトＳとフィルムＦとの隙間から飲料が漏れ出すことを防ぐことができる。
【００６７】
（６）第１実施形態では、第１の刃２１にスリット２５を形成したので、スリット２５を介して、第１の刃２１とカップ内側面との間の飲料を端縁部１３側へ導出できる。このため、カップＣの内容量のうち、スパウトＳを介して飲料可能な液量を増やすことができる。
【００６８】
（７）第１実施形態では、バネ部２１ｅにはカップの内側に当接する突部２１ａ〜２１ｃが備えられているため、この突部２１ａ〜２１ｃをカップＣの内側面に集中して当接させることによって、スパウトＳのずれを抑制することができる。また、突部２１ａ〜２１ｃはバネ部２１ｅに形成されているため、スパウトＳをカップＣに装着する際に、バネ部２１ｅが弾性変形することで、突部２１ａ〜２１ｃを膨出部Ｃ２の下方にスムーズに滑り込ませることができる。
【００６９】
（８）第１実施形態では、第１の刃２１により、カップ周方向に沿った円弧状の孔を形成し、第２の刃２２により、その孔をカップ径方向内側に拡大することができる。このため、カップＣにスパウトＳを差し込むことで、開口面積が大きい孔を形成できる。
【００７０】
（第２実施形態）
次に、本発明のスパウトを具体化した第２実施形態を図１３〜図１９にしたがって説明する。尚、第２実施形態は、第１実施形態の支持部、穿孔部等を変更したのみの構成であるため、同様の部分についてはその詳細な説明を省略する。
【００７１】
図１３に示す本実施形態のスパウトＳは、飲料を収容したカップＣに対して装着され、カップＣを傾けて内容物である飲料を啜るために使用されるものである。カップＣの構成は、第１実施形態と同様である。
【００７２】
スパウトＳは、図１４に示すように、背面側に設けられた支持部４１と、フィルムＦを破るための穿孔部５０とを備えている。
この支持部４１の幅方向（図中Ｙ方向）の形状は、カップ鍔部Ｃ１の周方向の形状に沿って湾曲し多形状である。また、図１５に示すように、支持部４１は、下方に向かって垂直に延びる基端部４１ａと、基端部４１ａから下方且つ正面側に斜めに延びる傾斜部４１ｂとを有している。この傾斜部４１ｂのうち、基端部４１ａ側であって、幅方向の中央と両端には、掛止爪４２が１つずつ突出形成されている。掛止爪４２は、断面略三角形状をなしている。
【００７３】
また、図１５に示すように、支持部４１の上方には、飲料を飲む際に口を付けるための端縁部４３が備えられている。端縁部４３は、正面側に傾斜面４３ａを有し、その先端は丸みを帯びた角Ｒ状に形成されている。この端縁部４３は、スパウトＳがカップＣに固定された装着位置で、フィルムＦの表面よりも上方に配置される。
【００７４】
さらに端縁部４３からは、背面から正面に向かって水平方向に、注出口形成部４４が延出されている。この注出口形成部４４は、図１６に示すように、平面視において紡錘状をなしており、その長手方向の中央であって、端縁部４３側の端部には注出口４５が貫通形成されている。また、注出口形成部４４の先端には、第１実施形態と同様に、シール部４７が突出形成されている。
【００７５】
図１４に示すように、この注出口形成部４４の下面のうち、支持部４１よりも正面側には、穿孔部５０が形成されている。穿孔部５０は、支持部４１側に配置された第１の刃５１と、第１の刃５１の正面に形成された第２の刃５２とを備えている。
【００７６】
第１の刃５１は、注出口形成部４４に対し略垂直な方向であって、スパウトＳの高さ方向に延び、正面視において略三角形状をなしている。また、支持部４１は、この第１の刃５１よりも突出するように形成されている。このため、スパウトＳを指で把持する場合には、第１の刃５１には指が触れにくい。
【００７７】
また第１の刃５１は、板状であって、図１７に示すように、幅方向（図中Ｙ方向）の形状が、カップ鍔部Ｃ１の形状にほぼ沿う形で湾曲している。また、第１の刃５１の背面の高さ方向の形状は、その中央部が背面側に張り出したようなドーム状の形状となっている。
【００７８】
また図１７に示すように、第２の刃５２は、第１の刃５１の正面に対して略垂直な方向に突出している。第２の刃５２は、第１の刃５１の中央に形成された中央刃５２ａと、中央刃５２ａの両側に形成された左側刃５２ｂ及び右側刃５２ｃから構成される。中央刃５２ａ、左側刃５２ｂ及び右側刃５２ｃは、第１の刃５１に対して略垂直な方向に延び、中央刃５２ａの幅（Ｘ方向の長さ）は、左側刃５２ｂ及び右側刃５２ｃの幅よりも長い。また、中央刃５２ａは、第１の刃５１とほぼ同じ高さを有し、第１の刃５１の突端から基端まで延びている。これらの中央刃５２ａ、左側刃５２ｂ及び右側刃５２ｃは、第１の刃５１によって形成された孔を、カップＣの径方向内側へ押し広げる。このように、中央刃５２ａを、第１の刃５１の突端から基端にかけて設けることにより、第１実施形態のように、第２の刃２２を第１の刃２１の基端部に設ける場合に比べて、穿孔部５０の高さを短くすることができる。また、支持部４１は、穿孔部５０よりも下方に突出するような高さに形成されているので、穿孔部５０の高さが短くなれば、支持部４１も短くすることができる。
【００７９】
また、図１５に示すように、第１の刃５１の基端側には、シール突部５３が設けられている。シール突部５３は、第１の刃５１の幅方向に亘って形成された突条である。シール突部５３から支持部４１の基端部４１ａまでの相対距離Ｌ１は、カップ鍔部Ｃ１の幅よりも短い。このため、シール突部５３と基端部４１ａとの間にカップ鍔部Ｃ１が差し込まれた場合には、支持部４１及び第１の刃５１が弾性変形してカップ鍔部Ｃ１を挟持する。
【００８０】
次に、スパウトＳの作用について図１８及び図１９に従って説明する。スパウトＳをカップＣに装着する際には、図１８に示すように、支持部４１をカップ鍔部Ｃ１の外側に当接させつつ、支持部４１と穿孔部５０との間隙にカップ鍔部Ｃ１を差し込む。この間隙にカップ鍔部Ｃ１が若干差し込まれると、第１の刃５１及び第２の刃５２の突端がフィルムＦの表面に当接する。さらにスパウトＳをカップＣの深さ方向に押し込むと、第１の刃５１及び第２の刃５２の突端がフィルムＦに突き刺さり、フィルムＦの穿孔が開始される。
【００８１】
さらにスパウトＳをカップＣの深さ方向に押し込んでいくと、第１の刃５１によってフィルムＦの孔がカップ周方向に拡大されるとともに、第２の刃５２によって、フィルムＦの孔がカップ径方向内側に押し広げられていく。
【００８２】
スパウトＳを、その端縁部４３の下面とカップ鍔部Ｃ１とが当接するまで押し込むと、スパウトＳは装着位置に配置される。支持部４１は、外側へ反るように弾性変形し、カップ鍔部Ｃ１を外側から押圧する。このとき、掛止爪４２は、カップ鍔部Ｃ１の外側下方に掛止されているため、スパウトＳのカップ高さ方向上方への位置ずれを防止することができる。また、掛止爪４２は、シール突部５３をカップＣの膨出部Ｃ２に押し付けている。このため、膨出部Ｃ２にはシール突部５３を介して押圧力が集中して加わるため、カップ内側が平面状ではなくても、掛止爪４２とシール突部５３との間でカップＣの縁部を強固に挟持できる。このように掛止爪４２及びシール突部５３がカップ鍔部Ｃ１を挟持することにより、スパウトＳの姿勢を安定させることができる。また、スパウトＳとカップとの間のシール性が確保され、カップ内側面と穿孔部５０との隙間から飲料が漏れ出すことが抑制される。
【００８３】
カップ内の飲料を飲む際には、スパウト側にカップＣを傾け、端縁部４３に口をつけて飲料を啜るように飲むことができる。この際、第１の刃５１の高さが短いため、第１の刃５１とカップ内側面との間に飲料が溜まりにくくなる。このため、第１実施形態のように、第１の刃５１にスリットを設けなくても、飲み終わった際にカップ内に残留する飲料の量を少量とすることができる。
【００８４】
従って、第２実施形態によれば、第１実施形態の（１），（２），（３），（５）及び（８）に記載の効果に加えて以下の効果を得ることができる。
（９）第２実施形態では、スパウトＳが装着位置に配置された際に、掛止爪４２がカップ鍔部Ｃ１の下面に掛止され、シール突部５３が膨出部Ｃ２に当接するため、カップＣを内側及び外側から挟持する。このため、スパウトＳのカップ周方向、径方向及び高さ方向の位置ずれが抑制され、スパウトＳが安定した姿勢を保つことができる。また、スパウトとカップとの間のシール性を確保することができる。
【００８５】
（１０）第２実施形態では、第１の刃５１により、カップ周方向に沿った円弧状の孔を形成し、第２の刃５２により、その孔をカップ径方向内側に拡大することができる。このため、カップＣにスパウトＳを差し込むことで、開口面積が大きい孔を形成できる。また、第２の刃５２を、中央刃５２ａ、左側刃５２ｂ及び右側刃５２ｃから構成し、中央刃５２ａは、第１の刃５１の突端から基端までの高さを有するように形成した。このため、第１実施形態のように第２の刃５２を第１の刃５１の基端に設ける場合に比べ、第１の刃５１の高さを短くすることができるので、スパウトＳをその高さ方向に小型化することができる。また、第１の刃５１の高さを短くすると、第１の刃５１よりも長いことを前提とする支持部４１の長さをも短くすることができる。さらに、第１の刃５１を短くすることにより、第１の刃５１とカップ内側面との間に飲料が溜まりにくくなり、第１実施形態のスリット２５を省略することができる。
【００８６】
（第３実施形態）
次に、本発明のスパウトを具体化した第３実施形態を図２０〜図２９にしたがって説明する。尚、第３実施形態は、第１実施形態の支持部、穿孔部等を変更したのみの構成であるため、同様の部分についてはその詳細な説明を省略する。
【００８７】
図２０に示す本実施形態のスパウトＳは、第１実施形態と同様の構成のカップＣに対して装着され、カップＣを傾けて飲料を啜るために使用されるものである。
このスパウトＳは、回転されながらカップＣの一部に固定されるタイプのものである。また、使用後はカップＣから取り外すことができる。このスパウトＳは、ポリプロピレン（ＰＰ）、ポリエチレンテレフタレート（ＰＥＴ）、ＰＥ（ポリエチレン）等の樹脂からなり、射出成形等により成形されている。
【００８８】
図２１に示すように、スパウトＳは、背面側に設けられた穿孔部３０を備え、該穿孔部３０は、上部に配置された板状の注出部３１を備えている。注出部３１は、正面視において略長方形状をなし、カップＣの側壁に沿って正面側に湾曲している。また、各隅部は、丸みを帯びた角Ｒ状に形成されている。
【００８９】
注出部３１の背面には、細長状の支持部３５が連結されている。図２２に示すように、支持部３５は、スパウトＳを側面からみた際に、略Ｌ字状をなし、注出部３１の背面に連結され、背面から垂直に突出した基端部と、基端部から正面側下方に向かって延びる先端部とを有している。支持部３５の先端は、穿孔部３０の先端よりも下方に突出している。
【００９０】
この支持部３５のうち、注出部３１の背面と対向する面には、第１湾曲部３５ａと、この第１湾曲部３５ａとは異なる方向に湾曲した第２湾曲部３５ｂとが形成されている。これらの第１湾曲部３５ａ及び第２湾曲部３５ｂは、スパウトＳの回転動作の際にカップ鍔部Ｃ１等に対して摺動され、スパウトＳを装着位置へと導く。
【００９１】
第１湾曲部３５ａは、支持部３５の先端から略中央部にかけて形成され、注出部３１側に突出し、一定の曲率で湾曲している。
第２湾曲部３５ｂは、第１湾曲部３５ａに連続して形成されている。この第２湾曲部３５ｂは、支持部３５の正面に対して凹状に形成されている。
【００９２】
第２湾曲部３５ｂと支持部３５の基端部との間には、掛止爪３５ｃ及び挟持部としての溝部３５ｄが形成されている。溝部３５ｄは、第２湾曲部３５ｂよりも窪んだ形状をなし、スパウトＳの高さ方向（図２２中Ｚ方向）に沿った溝幅Ｗ１は、カップ鍔部Ｃ１の厚みと同一か、若干大きい長さになっている。
【００９３】
また、溝部３５ｄの底面と注出部３１との相対距離Ｇ８は、第２湾曲部３５ｂと第１の刃３２との相対距離Ｇ７よりも大きく、カップ鍔部Ｃ１の幅よりも若干小さくなっている。
【００９４】
また図２３に示すように、穿孔部３０は、注出部３１の下方に、第１の刃３２を備えている。第１の刃３２は、正面視において略三角形状をなし、その突端が下方を向くように配置されている。また、第１の刃３２は、カップ鍔部Ｃ１の形状に沿って正面側に湾曲し、フィルムＦに円弧状の孔を形成する。
【００９５】
また、図２２に示すように、第１の刃３２には、その略中央から突端にかけて、正面側に突出するように湾曲した掛止部３２ａが形成されている。掛止部３２ａは、支持部３５の第１湾曲部３５ａと間隙を介して対向し、第１湾曲部３５ａの湾曲形状に沿った形状になっている。また、掛止部３２ａの先端には、支持部３５側に屈曲した鉤状部３２ｂが形成されている。また、第１の刃３２の背面のうち、基端部側の２箇所には、肉厚化された突出部３２ｃがそれぞれドーム状に形成されている。
【００９６】
この第１の刃３２及び注出部３１の一部は、支持部３５に対してカップ鍔部Ｃ１を挿入するための間隙を介して対向しており、その間隙の長さは、一定ではない。具体的には、鉤状部３２ｂは、第１湾曲部３５ａと間隙を介して対向し、鉤状部３２ｂと第１湾曲部３５ａとの相対距離Ｇ５は、カップ鍔部Ｃ１の幅ＣＷよりも小さい長さとなっている。
【００９７】
また、掛止部３２ａは、第１湾曲部３５ａと間隙を介して対向し、その相対距離Ｇ６は、カップ鍔部Ｃ１の幅ＣＷよりも小さくなっている。第１の刃３２のうち、掛止部３２ａを除く上部は、第２湾曲部３５ｂと間隙を介して対向しており、該掛止部３２ａを除く上部が、スパウトＳの高さ方向に湾曲していないために、第２湾曲部３５ｂとの相対距離Ｇ７は、一定の長さにはなっていない。即ち、第１湾曲部３５ａ側の始端部Ｐ１から、第２湾曲部３５ｂの中央にかけて大きくなり、さらに中央部Ｐ３から支持部３５の基端部側の終端部Ｐ２にかけて小さくなる。
【００９８】
より具体的には、第１の刃３２から、第２湾曲部３５ｂのうち中央部Ｐ３までの相対距離Ｇ７は、カップ鍔部Ｃ１の幅ＣＷと同一か、若干小さくなっている。また、第１の刃３２から、第２湾曲部３５ｂの始端部Ｐ１までの相対距離Ｇ７は、カップ鍔部Ｃ１の幅ＣＷよりも小さい。さらに、第２湾曲部３５ｂの終端部Ｐ２と第１の刃３２との間隙は狭小部であって、その相対距離Ｇ７は、中央部Ｐ３から第１の刃３２までの相対距離Ｇ７よりも小さく、且つカップ鍔部Ｃ１の幅よりも小さい。
【００９９】
また、第１の刃３２に連続して形成された注出部３１から溝部３５ｄの底面までの相対距離Ｇ８は、カップ鍔部Ｃ１の幅ＣＷとほぼ同じ大きさか、若干小さくなっている。
図２３に示すように、第２の刃３３は、注出部３１の下端部から第１の刃３２の突端にかけて形成され、平板状をなしている。また、図２２に示すように、第２の刃３３は、スパウトＳを側面からみた際に、略台形状をなしている。この第２の刃３３は、注出部３１及び第１の刃３２に固定された辺と、注出部３１から水平に延びる水平辺３３ａと、水平辺３３ａから下方に向かって鉛直方向に延びる鉛直辺３３ｂと、鉛直辺３３ｂから第１の刃３２の突端に向かって延びる傾斜辺３３ｃとを有している。この構成により、第２の刃３３は、その幅（図中Ｘ方向の長さ）が、第１の刃３２の突端に向かうにつれ小さくなる先細り形状となっている。また、少なくとも傾斜辺３３ｃの先端は、薄肉化されている。
【０１００】
このように、スパウトＳは、フィルムＦ全域を覆うような容器一体型の蓋部ではなく、カップＣとは独立したアタッチメントとして機能するので、小型化することができる。このため、スパウトＳに使用される樹脂量を減らすことができるので、コストを低減することができる。また、支持部３５は注出部３１の背面から延出される細長状をなし、カップ鍔部Ｃ１の一部に固定されるため、カップ鍔部Ｃ１の形状がそれぞれ異なるカップＣに対しても装着することができる。
【０１０１】
次に、本実施形態のスパウトＳの作用について図２４〜図２９に従って説明する。まず図２４に示すように、支持部３５をカップ側壁に対して傾けた姿勢とし、第１湾曲部３５ａの先端を、カップ側壁に当接させる。このとき、支持部３５が穿孔部３０の先端よりも下方に突出しているので、支持部３５を当接させやすい。そして第１の刃３２の鉤状部３２ｂを、フィルムＦが固着されたカップ鍔部Ｃ１の上面に引っ掛ける。
【０１０２】
次に、スパウトＳを、カップＣの外側面に当接した第１湾曲部３５ａを支点として、フィルムＦの上面に向かって回転させると、図２５に示すように、第１の刃３２が支持部３５から離間するように弾性変形して、鉤状部３２ｂが、カップ鍔部Ｃ１を越えてフィルムＦの上面に到達する。このとき、スパウトＳを回転させる力が鉤状部３２ｂに集中するので、鉤状部３２ｂによりフィルムＦが破られる。また、支持部３５による支持によってスパウトＳの姿勢を安定させながら穿孔することができる。
【０１０３】
また、掛止部３２ａと第１湾曲部３５ａとの相対距離Ｇ２は、カップ鍔部Ｃ１よりも小さいため、第１の刃３２は、支持部３５から離間するように弾性変形する。このように、掛止部３２ａと第１湾曲部３５ａとによりカップ鍔部Ｃ１が挟持されるため、スパウトＳを支持しながら回転させることができる。
【０１０４】
さらに、第１湾曲部３５ａ及び第１の刃３２の背面が湾曲形状をなしているため、スパウトＳは、第１湾曲部３５ａと、カップ側壁及びカップ鍔部Ｃ１とを摺接させるとともに、第１の刃３２の背面とカップ鍔部Ｃ１の内側とを摺接させながら、回転する。このため、スパウトＳの回転に伴い、カップ鍔部Ｃ１が、第２湾曲部３５ｂと支持部３５との間隙に導かれる。
【０１０５】
また、第１の刃３２がフィルムＦを穿孔するのと同時に、第２の刃３３も穿孔を開始する。第１の刃３２は、カップ鍔部Ｃ１に沿って円弧状の孔を形成し、カップＣに深く差し込まれるにつれ、その孔をカップ周方向に拡大していく。第２の刃３３は、第１の刃３２によって形成された孔を、カップ径方向内側へ向かって押し広げ、孔の開口面積を拡大していく。
【０１０６】
さらにスパウトＳを、注出部３１がフィルムＦに対して垂直となるように回転させながらカップＣに対して押し込むと、図２６に示すように、カップ鍔部Ｃ１が、第１の刃３２と第２湾曲部３５ｂとの間隙に差し込まれる。カップ鍔部Ｃ１が第２湾曲部３５ｂの中央部Ｐ３付近まで差し込まれると、スパウトＳは、注出部３１をフィルムＦに対して垂直とし、且つカップ側壁に略平行にした直立姿勢となる。このとき、第２湾曲部３５ｂと第１の刃３２との相対距離Ｇ７は、カップ鍔部Ｃ１の幅ＣＷとほぼ同一か若干小さいため、第１の刃３２は殆ど弾性変形せず、フィルムＦに対してほぼ垂直に差し込まれる。
【０１０７】
上記直立姿勢にしたスパウトＳに対し、カップ深さ方向の押圧力を加えてカップＣに押し込んでいくと、図２７に示すように、カップ鍔部Ｃ１が、第２湾曲部３５ｂの終端部Ｐ２と第１の刃３２との間に挟持される。上述したように、この間隙は、カップ鍔部Ｃ１の幅ＣＷよりも小さいため、支持部３５が、外側に反るように弾性変形し、カップ鍔部Ｃ１に対し、外側から押圧するような力を付与する。
【０１０８】
その状態のスパウトＳをさらにカップＣに押し込むと、支持部３５の掛止爪３５ｃがカップ鍔部Ｃ１を乗り越える。その結果、図２８に示すように、支持部３５を外側に押圧する力が解除されて、カップ鍔部Ｃ１が溝部３５ｄに貫入される。上述したように溝部３５ｄと注出部３１との相対距離Ｇ８は、カップ鍔部Ｃ１の幅ＣＷよりも若干小さいため、支持部３５が外側に反り、カップ鍔部Ｃ１を外側から押圧し、また注出部３１によりカップ鍔部Ｃ１を内側から支持することでカップ鍔部Ｃ１を挟持できる。さらに、カップＣの膨出部Ｃ２には、第１の刃３２の背面に形成された突出部３２ｃが掛止されるため、カップＣの径方向、周方向及び高さ方向に沿った移動が規制され、スパウトＳがカップＣから容易に抜け落ちにくくなる。
【０１０９】
このとき、注出部３１は、カップ鍔部Ｃ１に対して上方に配置され、第１の刃３２及び第２の刃３３の大部分がカップＣの内側に挿入されている。また、フィルムＦには、略三角形状の孔が形成されている。この孔は、カップＣの周方向の最大長さが、第１の刃３２の幅とほぼ同じであって、カップＣの径方向の最大長さが、第２の刃３３の幅とほぼ同じである。この際、フィルムＦに形成された孔と、第１の刃３２及び第２の刃３３との隙間が空気孔として機能する。
【０１１０】
このスパウトＳを用いて、カップＣの内容物である飲料を飲む際には、図２９に示すように、注出部３１側にカップＣを傾けると、フィルムＦに穿孔された孔を介して飲料が導出される。このため、注出部３１に口を付けて、飲料を啜ることができる。
【０１１１】
スパウトＳを外す際には、支持部３５をカップＣから離間させる方向に反らせて、溝部３５ｄとカップ鍔部Ｃ１との係合を解除して、スパウトＳ全体をカップＣから引き抜く。
従って、第３実施形態によれば、第１実施形態の（１），（２），（３）及び（８）に記載の効果に加えて以下の効果を得ることができる。
【０１１２】
（１１）第３実施形態では、スパウトＳは、穿孔部３０によってフィルムＦに孔を開けるとともに、穿孔部３０と支持部３５とによりスパウトＳをカップＣに固定するため、カップＣを傾けることにより、フィルムＦに開けられた孔を介して導出された飲料を、注出部３１から啜ることができる。また、支持部３５を弾性変形させて、穿孔部３０と支持部３５とによりカップ鍔部Ｃ１を挟持するので、スパウトＳをカップＣの一部に対し安定した姿勢で固定することができる。このため、スパウトＳが容易に傾いたりずれたりすることがないので、カップ内の飲料を飲みやすくすることができる。
【０１１３】
（１２）第３実施形態では、支持部３５の先端は、第１の刃３２の刃先よりもカップＣの挿入方向へ突出しているので、支持部３５の先端をカップの外側面に当接させながら、穿孔部３０の刃先をフィルムＦに刺すことができる。このため、スパウトＳの姿勢を安定させながら穿孔することができるので、操作性を向上できる。
【０１１４】
（１３）第３実施形態では、支持部３５は、スパウトＳの回転動作の支点となる第１湾曲部３５ａと、スパウトＳが回転する際にカップ鍔部Ｃ１と摺接する第２湾曲部３５ｂとを備えた。このため、第１湾曲部３５ａ及び第２湾曲部３５ｂとカップ鍔部Ｃ１等とを摺接させてガイドしながら、スパウトＳを回転しつつカップＣに押し込むことができるので、操作性を向上できる。
【０１１５】
（１４）第３実施形態では、第２湾曲部３５ｂは、カップ鍔部Ｃ１の幅よりも小さい幅を有する溝部３５ｄを備えたため、溝部３５ｄにカップ鍔部Ｃ１が挿入された際に、弾性変形した支持部３５の反発力により、支持部３５と穿孔部３０との間でカップの縁部を挟持することができる。
【０１１６】
（１５）第３の実施形態では、第１の刃３２の刃先は鉤状に形成されているため、その鉤状部３２ｂをカップ内側に掛止しながら、スパウトＳを回転させることができる。このため、スパウトＳを、鉤状部３２ｂと支持部３５とをカップＣに当接させることで支持し、安定した姿勢を保持しつつ、カップに対して固定することができる。
【０１１７】
尚、上記各実施形態は以下のように変更してもよい。
・第１実施形態では、第１の刃２１と支持片１１ａとを弾性変形させて、カップ鍔部Ｃ１を挿入するようにしたが、支持片１１ａを肉厚化する等して剛性を高め、第１の刃２１のみを弾性変形させるようにしてもよい。又は、第１の刃２１の剛性を高め、支持片１１ａのみを弾性変形させるようにしてもよい。
【０１１８】
・第１実施形態では、第１の刃２１の刃先は三角形状ではなく、鋸歯状等、他の形状でもよい。
・第１実施形態では、スパウトＳは、掛止爪１２を１対備えるようにしたが、１つでもよいし、３つ以上形成されてもよい。又は、支持部１１の幅方向の全域に亘って形成された長尺状の掛止爪にしてもよい。
【０１１９】
・第１実施形態の第１の刃２１は、突部２１ａ〜２１ｃを省略した構成としてもよい。この場合、第１の刃２１と支持部１１との相対距離が、カップ鍔部Ｃ１の幅よりも若干小さい距離とされる。
【０１２０】
・第１実施形態の第２の刃２２は、１対ではなく、第１の刃２１の片方の端部のみ形成されていてもよい。また、第２の刃２２は、先細り形状であって、スパウトＳがカップＣに挿入されるに従いフィルムＦの孔を押し広げる構成であれば、他の構成でもよい。
【０１２１】
・上記各実施形態では、穿孔部２０，３０，５０は、カップの周方向に沿って穿孔する第１の刃２１，３２，５１と、カップの径方向内側に向かって穿孔する第２の刃２２，３３とを備えるようにしたが、第１の刃によって形成された孔を第２の刃によって拡大する構成であれば、他の構成でもよい。例えば、第１の刃によって、カップ径方向内側に向かう孔を形成し、その孔を、第２の刃によって、径方向内側以外の方向に押し広げるようにしてもよい。
【０１２２】
・第１実施形態のスリット２５は、第１の刃２１とカップ内側面との距離を小さくする等して、第１の刃２１とカップ内側面との間に残留する液量を少なくすれば省略してもよい。
【０１２３】
・第１実施形態では、バネ部２１ｅを弾性変形させるようにしたが、第１の刃２１全体を弾性変形させてもよい。
・第２実施形態では、第１の刃５１の正面に中央刃５２ａ、左側刃５２ｂ及び右側刃５２ｃを形成したが、中央刃５２ａのみでもよい。
【０１２４】
・第２実施形態では、支持部４１に掛止爪を３つ設けるようにしたが、掛止爪を支持部４１の幅方向に亘って形成された突条にしてもよい。
・第３実施形態では、第１の刃３２は、湾曲した掛止部３２ａを備えるようにしたが、第１の刃３２と支持部３５との間隙にカップ鍔部Ｃ１を差し込んだ状態で、スパウトＳを回転可能であれば、高さ方向において湾曲しなくてもよい。
【０１２５】
・第３実施形態では、支持部３５の正面側を第１湾曲部３５ａ及び第２湾曲部３５ｂを有する湾曲形状（凹凸形状）にしたが、スパウトＳをカップＣに固定したときに、支持部３５が弾性変形し、支持部３５の先端がカップＣの外側に当たる形状であれば他の形状でもよい。
【０１２６】
・上記各実施形態では、シール部１７は、スパウトＳに一体に形成されているとしたが、別部材とし、注出口形成部１４の先端に接着するようにしてもよい。このとき、シール部１７は、エラストマー、シリコン樹脂等の飲料用カップに適した安全性の高い弾性部材から構成してもよい。
【０１２７】
・支持部１１，３５，４１の先端は、穿孔部２０，３０よりも突出しているとしたが、スパウトＳを装着する際に、支持部１１，３５，４１をカップＣに当接可能であれば、同じ高さでもよく、穿孔部２０，３０，５０が支持部１１，３５よりも突出するようにしてもよい。
【０１２８】
・上記各実施形態では、スパウトＳが装着されるカップＣを、内側面に膨出部Ｃ２が形成されたものとしたが、スパウトＳを膨出部Ｃ２が形成されていないカップに装着してもよい。
【０１２９】
・上記各実施形態では、カップＣには温かい飲料に限らず、冷たい飲料が封入されていてもよい。また、飲料でなくても、飲用可能な医薬品等の液体でもよい。
【符号の説明】
【０１３０】
１１，３５，４１…支持部、１１ｂ…当接片、１２，３５ｃ，４２…掛止爪、１３，４３…注出部としての端縁部、１７，４７…シール部、２０，３０，５０…穿孔部、２１，３２，５１…第１の刃、２１ａ〜２１ｃ…突部、２２，３３，５２…第２の刃、２１ｅ…バネ部、２５…スリット、３１…注出部、３２ｂ…鉤状部、３５ａ…第１の湾曲部、３５ｂ…第２湾曲部、３５ｄ…挟持部としての溝部、４２…第１シール部、５３…シール突部、Ｌ…液体としての飲料、Ｃ…カップ、Ｃ１…カップ鍔部、ＣＷ…幅、Ｆ…フィルム、Ｓ…スパウト。
【図１】
2013119411.tif 000003
【図２】
2013119411.tif 000004
【図３】
2013119411.tif 000005
【図４】
2013119411.tif 000006
【図５】
2013119411.tif 000007
【図６】
2013119411.tif 000008
【図７】
2013119411.tif 000009
【図８】
2013119411.tif 000010
【図９】
2013119411.tif 000011
【図１０】
2013119411.tif 000012
【図１１】
2013119411.tif 000013
【図１２】
2013119411.tif 000014
【図１３】
2013119411.tif 000015
【図１４】
2013119411.tif 000016
【図１５】
2013119411.tif 000017
【図１６】
2013119411.tif 000018
【図１７】
2013119411.tif 000019
【図１８】
2013119411.tif 000020
【図１９】
2013119411.tif 000021
【図２０】
2013119411.tif 000022
【図２１】
2013119411.tif 000023
【図２２】
2013119411.tif 000024
【図２３】
2013119411.tif 000025
【図２４】
2013119411.tif 000026
【図２５】
2013119411.tif 000027
【図２６】
2013119411.tif 000028
【図２７】
2013119411.tif 000029
【図２８】
2013119411.tif 000030
【図２９】
2013119411.tif 000031